(57)【要約】【課題】大容量ペットボトル入りアルコール飲料などを簡単操作で安全に注ぎ出すことのできるボトル用サーバーを提供する。【解決手段】ボトル用サーバー１は、ボトルの注出口３とボトル本体２の境界部分又はボトルの側面上部４に着脱可能に装着して使用するものであって、ボトルの注出口３とボトル本体２の境界部分またはボトルの側面上部４との接触部分に気密状態を保てる密着部材１１を使用することによって装着可能な保持部５とペットボトル内に挿入可能な吸込口８ａ及びペットボトル２外に露出した排出口８ｂを有する注出管８と送気口６を通してペットボトル２内に空気を圧送する蛇腹式加圧部材７などを備えている。【選択図】図１
2008081204.tif 000002
【特許請求の範囲】
【請求項１】
注出口と本体とを有するボトルに装着して使用するボトル用サーバーであって、ボトル注出口と本体の境界部分にボトル接触部を有する保持部と、前記ボトル内に挿入可能な吸込口及び前記ボトル外に露出した排出口を有する注出管と、前記ボトル内に空気を圧送する手動式空気圧送手段とを備え、前記ボトル接触部がボトルと密着する部材であることを特徴とするボトル用サーバー。
【請求項２】
注出口と本体とを有するボトルに装着して使用するボトル用サーバーであって、ボトル本体の側面上部にボトル接触部を有する保持部と、前記ボトル内に挿入可能な吸込口及び前記ボトル外に露出した排出口を有する注出管と、前記ボトル内に空気を圧送する手動式空気圧送手段とを備え、前記ボトル接触部がボトルと密着する部材であることを特徴とするボトル用サーバー。
【発明の詳細な説明】
【技術分野】
【０００１】  本発明は、ペットボトル入りの焼酎・ウイスキーなどの飲料をボトルから注ぎだすのに使用するポンプ式サーバーに関する。
【背景技術】
【０００２】  焼酎・ウイスキーなどのアルコール飲料は近年大容量のペットボトルに入れた形態での販売が増加している。これらのペットボトル入りアルコール飲料などを購入した者はキャップをはずして、中身を取扱い容易な小容量の瓶などの容器に漏斗等を利用して移し変えてから飲用している。また、特許文献１のようなボトル用ポンプがある。【０００３】
【特許文献１】特開２００１−２６１０５２号公報
【発明の開示】
【発明が解決しようとする課題】
【０００４】  容器の大容量化に伴い、その重さも増大しており、ボトルの側面には把手が付いているものの、手で持って小容量の瓶などの容器に移し替える際には大きな力を必要とし不便である。特に手先が不自由な老人などにとって大型容器を手で持って他の容器に移し替えることはかなり困難な作業であり、誤ってボトルの中身がこぼれたりする事が多い。また、特許文献１の場合は、ボトル用ポンプをボトルの注出口へ装着する部分がねじ式のため、取付け・取外し作業が面倒であった。【０００５】  本発明が解決しようとする課題は、ペットボトル入りの大容量アルコール飲料などを簡単な操作で安全に注ぎ出すことのできるサーバーを提供することにある。
【課題を解決するための手段】
【０００６】  前記課題を解決するため、本発明のサーバーは、注出口と本体とを有するボトルに装着して使用し、ボトル注出口と本体の境界部分またはボトル本体の側面上部にボトル接触部を有する保持部と、前記ボトル内に挿入可能な吸込口及び前記ボトル外に露出した排出口を有する注出管と、前記ボトル内に空気を圧送する手動式空気圧送手段とを備え、前記ボトル接触部がボトルと密着する部材であることを特徴とする。【０００７】  このような構成によりスクリューキャップを取り外したボトルの注出口を含むボトル上部に本発明のサーバーを装着し手動式空気圧送手段を操作して、ボトル内に空気を圧送するだけでボトル内容物は注出管を経由して排出口から出てくるので簡単操作で安全に注ぎ出すことができる。
【発明の効果】
【０００８】  ボトル注出口とボトル本体の境界部分またはボトル本体の側面上部に着脱可能に装着して使用するサーバーにおいて、ボトルの注出口に螺合可能なねじをつけることなく気密状態をつくることができる保持部とボトル内に挿入可能な吸込口及びボトル外に露出した排出口を有する注出管とボトル内に空気を圧送する手動式空気圧送手段とを備えたことによりスクリューキャップを取り外したボトルの注出口とボトル本体の境界部分またはボトル本体の側面上部に本発明のサーバーを装着し手動式空気圧送手段を操作してボトル内に空気を圧送するだけでボトル内容物は注出管を経由して出口から出てくるので簡単操作で注ぎだすことができる。
【発明を実施するための最良の形態】
【０００９】  以下、本発明の実施の形態を図面に基づいて説明する。【００１０】  〔実施形態１〕本実施形態１は請求項１に対応するものであり、図１は本実施形態の側面図である。【００１１】  本実施形態１のボトル用サーバー１は、ボトルの注出口３とボトル本体２の境界部分のボトル接触部に着脱可能に装着して使用するものであり、ボトルの注出口３とボトル本体２の境界部分のボトル接触部に気密状態に装着可能な保持部５、保持部５を貫通して設けられた送気口６、この送気口６を通してペットボトル２内に空気を圧送する蛇腹式加圧部材７が設けられている。【００１２】  また、ボトル本体２内に挿入可能な吸込口８ａと保持部５を通ってボトル本体２外に露出した排出口８ｂを有する注出管８が保持部５を貫通して配置されている。【００１３】  ボトル用サーバー１をボトル本体２に装着する場合、スクリューキャップを取り外したボトルの注出口３から注出管８の吸込口８ａ側をボトル本体２内へ挿入した後、ボトル用サーバー１の保持部５をボトルの注出口３に被せ、ボトルを密着部材１１で気密状態にすることにより固定する。【００１４】  この後、蛇腹式加圧部材７の上部９を手で下方へ押せば、蛇腹式加圧部材７が収縮してボトル本体２内へ空気が圧送されてボトル本体２の内圧が高まり、ボトルの内容物１０は注出管８を経由して排出口８ｂから出てくる。【００１５】  すなわち、蛇腹式加圧部材７の上部９を手で押すだけの簡単操作でボトルの内容物を安全に小容量容器Ａなどに注ぎ出すことができるので、ボトル本体２を手で持つ必要がなく手の不自由な老人などにとても便利である。【００１６】  本実施形態１のボトル用サーバー１では、手動式空気圧送手段として押圧によって空気を圧送する蛇腹式加圧部材７と蛇腹式加圧部材７からペットボトル２内に空気を送給する送気口６と、送気口６に設けられた逆気防止弁（図示）とを備えているので、蛇腹式加圧部材７の上部９を押圧するだけでボトル内容物１０を注ぎ出すことが可能であり、押圧を解除したときボトル内容物１０が逆流することもないので操作性にすぐれている。【００１７】  また、ボトル用サーバー１の取付け・取外しについても、ねじを回すなどの面倒な作業がなくボトルの注出口３に上から被せ、またそれを外すだけなので従来よりも操作が容易である。【００１８】  〔実施形態２〕本実施形態２は請求項２に対応するものであり、図２は本実施形態２の側面図である。【００１９】  本実施形態２のボトル用サーバー１は、ボトルの側面上部４のボトル接触部に着脱可能に装着して使用するものであり、ボトルの側面上部４のボトル接触部に気密状態に装着可能な保持部５、保持部５を貫通して設けられた送気口６、この送気口６を通してボトル本体２内に空気を圧送する蛇腹式加圧部材７が設けられている。【００２０】  また、ボトル本体２内に挿入可能な吸込口８ａと保持部５を通ってボトル本体２外に露出した排出口８ｂを有する注出管８が保持部５を貫通して配置されている。【００２１】  ボトル用サーバー１をボトル本体２に装着する場合、スクリューキャップを取り外したボトルの注出口３から注出管８の吸込口８ａ側をボトル本体２内へ挿入した後、ボトル用サーバー１の保持部５をボ���ルの側面上部４に被せ、ペットボトルを密着部材１１で気密状態にすることにより固定する。【００２２】  この後、蛇腹式加圧部材７の上部９を手で下方へ押せば、蛇腹式加圧部材７が収縮してボトル本体２内へ空気が圧送されてボトル本体２の内圧が高まり、ボトルの内容物１０は注出管８を経由して排出口８ｂから出てくる。【００２３】  すなわち、蛇腹式加圧部材７の上部９を手で押すだけの簡単操作でボトルの内容物を安全に小容量容器Ａなどに注ぎ出すことができるので、ボトル本体２を手で持つ必要がなく手の不自由な老人などにとても便利である。【００２４】  本実施形態２のボトル用サーバー１では、手動式空気圧送手段として押圧によって空気を圧送する蛇腹式加圧部材７と蛇腹式加圧部材７からボトル本体２内に空気を送給する送気口６と、送気口６に設けられた逆気防止弁（図示）とを備えているので、蛇腹式加圧部材７の上部９を押圧するだけでボトル内容物１０を注ぎ出すことが可能であり、押圧を解除したときボトル内容物１０が逆流することもないので操作性にすぐれている。【００２５】  また、ボトル用サーバー１の取付け・取外しについても、ねじを回すなどの面倒な作業がなくボトルの側面上部４に上から被せ、またそれを外すだけなので従来よりも操作が容易である。
【図面の簡単な説明】
【００２７】
【図１】本発明の実施形態１を示すボトル用サーバーの側面図
【図２】同実施形態２を示すボトル用サーバーの側面図
【符号の説明】
【００２８】    １    ボトル用サーバー
２    ボトル本体
３    ボトルの注出口
４    ボトルの側面上部
５    サーバーの保持部
６    送気口
７    蛇腹式加圧部材
８    注出管
８ａ  注出管の吸込口
８ｂ  注出管の排出口
９    蛇腹式加圧部材の上部
１０  ボトル内容物
１１  密着部材
Ａ    小容量容器
【図１】
2008081204.tif 000003
【図２】
2008081204.tif 000004